(57)【特許請求の範囲】
【請求項１】
身体や衣類などに装着する装身具本体の所定位置に複数の磁力線発生体が設けられ、この磁力線発生体同士の間には該磁力線発生体からの磁力線が照射されることで磁気を帯びる磁性体が設けられ、身体や衣類などに装着した際、この磁性体からの磁力線が身体に存在する鉄分などの磁性材へ照射されるように構成され、前記磁力線発生体には前記磁性体に対設される磁力線発生面が設けられ、この磁力線発生面は傾倒可能に設けられ、この磁力線発生面を傾倒させることで前記磁性体に照射される磁力線の照射量を可変して該磁性体から身体に存在する鉄分などの磁性材へ照射される磁力線の照射量が可変するように構成されていることを特徴とする装身具。
【請求項２】
請求項１記載の装身具において、前記磁力線発生体は３個であり、この３個の磁力線発生体は前記磁性体の周囲にして同一平面上に配設されていることを特徴とする装身具。
【請求項３】
身体や衣類などに装着する装身具本体の所定位置に複数の磁力線発生体が設けられ、この磁力線発生体同士の間には該磁力線発生体からの磁力線が照射されることで磁気を帯びる磁性体が設けられ、身体や衣類などに装着した際、この磁性体からの磁力線が身体に存在する鉄分などの磁性材へ照射されるように構成され、前記磁力線発生体は３個であり、この３個の磁力線発生体は前記磁性体の周囲にして同一平面上に配設されていることを特徴とする装身具。
【請求項４】
請求項１〜３いずれか１項に記載の装身具において、前記磁力線発生体，磁性体の少なくともいずれか一方に炭素材が配されていることを特徴とする装身具。
【請求項５】
請求項１〜３いずれか１項に記載の装身具において、前記磁力線発生体及び磁性体から成る磁力発生構造部に炭素材が配されていることを特徴とする装身具。
【請求項６】
請求項４，５いずれか１項に記載の装身具において、前記炭素材には香料が混合されていることを特徴とする装身具。
【発明の詳細な説明】
【技術分野】
【０００１】
本発明は、装身具に関するものである。
【背景技術】
【０００２】
従来から、磁石や強磁性金属体などの磁力線発生体から一定の強さで発生する磁力線を利用して肩こりや筋肉痛の予防や解消など、健康を促進することを目的とした装身具が種々提案されている。
【発明の開示】
【発明が解決しようとする課題】
【０００３】
本発明者は、この磁石や強磁性金属体などの磁力線発生体から発生する磁力線を利用して健康を促進することを目的とした装身具について更なる実験・研究を重ねた結果、従来にない作用効果を発揮する画期的な装身具を開発した。
【課題を解決するための手段】
【０００４】
添付図面を参照して本発明の要旨を説明する。
【０００５】
身体や衣類などに装着する装身具本体２の所定位置に複数の磁力線発生体３が設けられ、この磁力線発生体３同士の間には該磁力線発生体３からの磁力線が照射されることで磁気を帯びる磁性体４が設けられ、身体や衣類などに装着した際、この磁性体４からの磁力線が身体に存在する鉄分などの磁性材へ照射されるように構成され、前記磁力線発生体３には前記磁性体４に対設される磁力線発生面３Ａが設けられ、この磁力線発生面３Ａは傾倒可能に設けられ、この磁力線発生面３Ａを傾倒させることで前記磁性体４に照射される磁力線の照射量を可変して該磁性体４から身体に存在する鉄分などの磁性材へ照射される磁力線の照射量が可変するように構成されていることを特徴とする装身具に係るものである。
【０００６】
また、請求項１記載の装身具において、前記磁力線発生体３は３個であり、この３個の磁力線発生体３は前記磁性体４の周囲にして同一平面上に配設されていることを特徴とする装身具に係るものである。
【０００７】
また、身体や衣類などに装着する装身具本体２の所定位置に複数の磁力線発生体３が設けられ、この磁力線発生体３同士の間には該磁力線発生体３からの磁力線が照射されることで磁気を帯びる磁性体４が設けられ、身体や衣類などに装着した際、この磁性体４からの磁力線が身体に存在する鉄分などの磁性材へ照射されるように構成され、前記磁力線発生体３は３個であり、この３個の磁力線発生体３は前記磁性体４の周囲にして同一平面上に配設されていることを特徴とする装身具に係るものである。
【０００８】
また、請求項１〜３いずれか１項に記載の装身具において、前記磁力線発生体３，磁性体４の少なくともいずれか一方に炭素材11が配されていることを特徴とする装身具に係るものである。
【０００９】
また、請求項１〜３いずれか１項に記載の装身具において、前記磁力線発生体３及び磁性体４から成る磁力発生構造部12に炭素材11が配されていることを特徴とする装身具に係るものである。
【００１０】
また、請求項４，５いずれか１項に記載の装身具において、前記炭素材11には香料13が混合されていることを特徴とする装身具に係るものである。
【発明の効果】
【００１１】
本発明は上述のように構成したから、複数の磁力線発生体による磁気相互作用を利用した極めて効率の良い構造により良好な健康促進効果が得られることになるなど商品価値の高い画期的な装身具となる。
【発明を実施するための最良の形態】
【００１２】
好適と考える本発明の実施形態を、図面に基づいて本発明の作用を示して説明する。
【００１３】
身体や衣類などの所望の位置に装身具本体２を装着する。
【００１４】
この装身具本体２に設けられた磁力線発生体３から磁力線が照射されることで磁性体４は磁気を帯び、この磁気を帯びた磁性体４から身体に存在する鉄分（例えば血液の赤血球中の鉄分）などの磁性材へ磁力線が照射され血行が良くなるなどの作用が発揮される。
【００１５】
本発明は、複数の磁力線発生体３を所定位置に配することによる磁気相互作用により強い磁気作用が得られることを利用したもので、この複数の磁力線発生体３からの磁力線を該磁力線発生体３同士の間に設けられた磁性体４に照射して該磁性体４に磁気を帯びさせることで磁束密度の高い磁力線を発生させるものである。
【００１６】
従って、極めて効率良く強い磁力線を身体へ向けて確実に照射することができる。
【実施例１】
【００１７】
本発明の具体的な実施例１について図１〜６に基づいて説明する。
【００１８】
本実施例は、身体や衣類などに装着する装身具本体２に磁力線発生体３を設けたものである。
【００１９】
具体的には、装身具本体２は、図１に図示したように適宜な金属製の部材で形成したリング状体であり、Ｃ字状部５と、このＣ字状部５の前後両端部夫々から突出する一対の突出部６，７とで構成されている。尚、本実施例は、耳10に装着するイヤリングに適用しているが、例えば指輪やネックレスやネクタイピンなどに適用しても良いなど、本実施例の特性を発揮する構成であれば適宜採用し得るものである。
【００２０】
Ｃ字状部５は、図１，２，３に図示したように耳に挟んで装着する装着部として構成されており、このＣ字状部５の両端部には球状体８が３個ずつ設けられている。
【００２１】
この球状体８は、所定部位を点で押圧するものであり、つぼ押し効果が発揮される。
【００２２】
突出部６，７は、図１，２，３に図示したように装身具としての装飾性を向上する化粧板として機能すると共に、背面側の突出部６には磁力線を発揮する磁力線発生部１が設けられている。
【００２３】
この磁力線発生部１は、図１に図示したように突出部６の内面所定位置（凹部６ａ）に並設される３つの立ち上がり部９夫々に磁力線発生体３としての磁石を配設し、更に、この磁力線発生体３同士の間の中央に磁性体４としての鉄製の球体を配設して構成されている。尚、磁力線発生体３としては磁石に限らず、強磁性金属体やトルマリンなど本実施例の特性を発揮するものであれば適宜採用し得るものである。
【００２４】
図５に図示したように平面方向から見て三角形状態に配された各磁力線発生体３から発生する磁力線は磁性体４に照射されることになり、この該磁力線発生体３からの磁力線が照射されることで磁性体４は磁気を帯びることになる。磁性体４から発生する磁力は該磁性体４の直径に比例する。
【００２５】
本発明者は、３つの磁力線発生体３を図５のような位置に配設すると、磁気相互作用により強い磁気作用が得られることを実験により確認した。即ち、この３つの磁力線発生体３からの磁力線を磁力線発生体３同士の間に配された磁性体４に照射すると、該磁性体４は強い磁気を帯び、よって、該磁性体４からは強い磁力線が発生することになる。
【００２６】
また、磁力線発生部１は、図４に図示したように、耳に装着した際、身体の表面から所定間隔し介した位置に配され、この磁性体４から身体に存在する鉄分などの磁性材へ磁力線が照射されることになる。
【００２７】
また、磁力線発生部１の磁力線発生体３は、立ち上がり部９からの露出しており、この磁力線発生面３Ａは磁性体４に対設されている。
【００２８】
また、立ち上がり部９は傾倒可能に構成されており、図４に図示した状態から図６に図示した状態のように立ち上がり部９を傾倒させ、磁力線発生面３Ａと磁性体４との距離を可変することで磁性体４に照射される磁力線の照射量を可変できるように構成されている。
【００２９】
従って、磁性体４から発生する磁力線の量も可変可能となる。
【００３０】
本実施例は上述のように構成したから、極めて効率良く強い磁力線を身体へ向けて確実に照射することができ、この磁力線が照射された部位は血行が良好となる。
【００３１】
また、本実施例では、磁性体４に対設される各磁力線発生体３の近接部位を同磁極としており、反発する作用も生じることで一層磁気作用が強くなると考えられ、磁力線の良好な照射が行なわれる。
【００３２】
尚、血液中（鉄分）の成分は、その一部がイオン（プラスまたはマイナス）の電気を持つ分子として存在し、残る部分は非イオン化の状態で存在しており、両者がヤジロベエの如くバランスを保つことで血行の円滑化が達成される。しかしながら、何らかの原因により人体が自然的或いは人為的な磁気不足によって前記イオンが非イオンに変化して磁気バランスが崩れるとき、血行は鈍化して血液の働きが損なわれる。これに対し、血液のイオン化を促進して血行を正常にし、更にはホルモンの分泌等を活発化するように血液の機能を高めなくてはならない。
【００３３】
そこで、本実施例に係る磁性体４から磁束密度の高い磁力線（磁気）を照射することで血液中に微弱な電流が流れ、このことから非イオン部分がイオン可能方向に向かって変化することになり、よって、前述した正常なバランスが取れた状態が得られることになる（細胞の活性化、自律神経の刺激による全身の血液循環機能の活性化が達成される。）。
【実施例２】
【００３４】
本発明の具体的な実施例２について図７に基づいて説明する。
【００３５】
実施例２は、図７に図示したように前記磁力線発生体３，磁性体４の少なくともいずれか一方に炭素材11（カーボンペースト）を配したものであり、本実施例では磁力線発生体３の表面に炭素材11を付与せしめている。
【００３６】
尚、磁性体４のみに炭素材11を配しても良いし磁力線発生体３，磁性体４双方に炭素材11を配しても良い。
【００３７】
この炭素材11は、前述した３つの磁力線発生体３及び磁性体４から成る磁力発生構造部12の機能と組み合わせることで良好な効果を発揮する。
【００３８】
即ち、磁力発生構造部12における磁性体４から発生する強くて不安定な磁力線が照射されることで血行が良好となり人体から熱が発生するが、この人体から生じる熱で加温された炭素材11からは遠赤外線が放射されることになり、よって、この遠赤外線による作用によってもより一層の良好な血流効果が得られることになる。尚、炭素材11内を磁力発生体３内の磁界（磁気・電気）が移動することで生じる熱によっても遠赤外線が放射される。また、炭素材11は多孔質であるため不快な匂いを吸着する効果も発揮する。
【００３９】
また、本実施例は、磁力線の照射に遠赤外線の照射が作用することで磁力線に強弱が生じることになり、この強弱する磁力線により人体へのもみほぐし効果が得られることになる。
【００４０】
また、本実施例は、炭素材11に電気が流れる構造であるから、より一層の磁気効果が得られることになる。
【００４１】
また、本実施例では、この炭素材11に香料13を混合せしめている。
【００４２】
この香料13は人体及び炭素材11内で生じる熱により反応して香りが飛散することになり癒し効果が得られることになる。
【００４３】
その余は実施例１と同様である。
【実施例３】
【００４４】
本発明の具体的な実施例３について図８，９，10に基づいて説明する。
【００４５】
実施例３は、磁力線発生体３及び磁性体４から成る磁力発生構造部12が配される突出部６の凹部６ａ内に炭素材11（カーボンペースト）を配したものである。
【００４６】
具体的には、図８に図示したように突出部６の凹部６ａ内に炭素材11を充填したタイプや、図９に図示したように突出部６の凹部６ａの開口部に板状の炭素材11を架設状態に設けたタイプや、図10に図示したように突出部６の凹部６ａの内面を被覆する部位と該凹部６ａの開口部に架設される部位とから成る容体状の炭素材11を当該凹部６ａに配したタイプが考えられる。この容体状の炭素材11内には磁力線発生体３及び磁性体４が配される。
【００４７】
また、本実施例においても炭素材11には香料13が混合せしめられている。
【００４８】
その余は実施例１と同様である。
【００４９】
尚、本発明は、実施例１，２，３に限られるものではなく、各構成要件の具体的構成は適宜設計し得るものである。
【図面の簡単な説明】
【００５０】
【図１】実施例１を示す斜視図である。
【図２】実施例１の使用状態説明図である。
【図３】実施例１の使用状態説明図である。
【図４】実施例１に係る要部の説明図である。
【図５】実施例１に係る要部の説明図である。
【図６】実施例１に係る要部の説明図である。
【図７】実施例２に係る要部の説明図である。
【図８】実施例３を示す斜視図である。
【図９】実施例３に係る要部の説明図である。
【図１０】実施例３に係る要部の説明図である。
【符号の説明】
【００５１】
２  装身具本体
３  磁力線発生体
３Ａ  磁力線発生面
４  磁性体
11  炭素材
12  磁力発生構造部
13  香料
【図１】
0004673806.tif 000002
【図２】
0004673806.tif 000003
【図３】
0004673806.tif 000004
【図４】
0004673806.tif 000005
【図５】
0004673806.tif 000006
【図６】
0004673806.tif 000007
【図７】
0004673806.tif 000008
【図８】
0004673806.tif 000009
【図９】
0004673806.tif 000010
【図１０】
0004673806.tif 000011